(57)【特許請求の範囲】
【請求項１】
親綱ケーブルに移動ユニットを走行させ、この移動ユニットに安全帯から伸びるロープを係合させる場合において、
親綱ケーブルとは別に、ガイド役のガイドケーブルを親綱ケーブルに対して間隔を存して並行に張り、安全帯から伸びるロープ端と親綱ケーブルの移動ユニットとの接合部にある環状部材に前記ガイド役のガイドケーブルを通すことを特徴とした安全帯の移動用ケーブル。
【請求項２】
安全帯から伸びるロープ端には、ショックアブソーバーを介して環状部材を設ける請求項１記載の安全帯の移動用ケーブル。
【発明の詳細な説明】
【技術分野】
【０００１】
本発明は、高所作業場の安全装置としての安全帯の移動用ケーブルに関するものである。
【背景技術】
【０００２】
一般に、建設現場や工場等において、高所で作業を行なう場合、腰部に高所作業用の安全帯を巻付け、その安全帯に接続されたロープの先端のフックを足場枠等の構築物に係合して墜落の防止を図るようにしている。
【０００３】
このような安全帯使用のもので、水平移動を伴う高所作業の墜落防止対策を実現する中間支持部通過式常設水平親鋼システムとして下記非特許文献にもあるような、セイフスライダー（サンコー株式会社の登録商標）が存在する。
【非特許文献１】インターネットウエブサイト  www.sanko-titan.co.jp/products/pdf/セイフスライダー.pdf - htmlで見る墜落防止システム｜タイタン安全帯のサンコー株式会社ワイヤーケーブルシステム（セイフスライダー）取扱説明書(PDF)
【０００４】
この非特許文献１による水平親鋼システムは、図４に示すように、直径１２ｍｍの専用ワイヤーケーブルを親綱ケーブル１として、端末部や中間部の取付ユニットであるブラケット２によって対象構造物の水平面に敷設する。
【０００５】
親綱ケーブル１は、テンショナーで適度に緊張し、この親綱ケーブル１上を、"セイフリンク"と呼ばれる専用安全器３を滑走させる。図示は省略するが、この専用安全器３は、スリーブ上部の親綱ケーブル１と接触するポジションに耐磨耗性に優れた２つのローラーを搭載している。
【０００６】
安全帯などからのロープ６の端をこの専用安全器３に係合させ、使用者の安全を確保するが、専用安全器３に設けた係合孔３ａに環状部材であるカラビナ４を介して、ロープ６の端に設けたショックアブソーバー５を連結する。
【０００７】
この中間支持部通過式常設水平親鋼システムでは、ランヤードを介して使用者の安全を確保するものであるが、ケーブルの中間支持部を安全器が通過する際に若干の抵抗を生じるが、単一システムの端から端まで安全器を取り外すことなく移動することが可能である。
【０００８】
部材のほとんどがステンレススチール製で、長期の屋外敷設に優れた防錆性能を発揮する。
【０００９】
また、下記特許文献は両端部および中間部が支持された親綱の全長にわたってフックを掛け替えることなく移動できるようにした安全装置である。
【特許文献１】実開平７−２６５１７号公報
【００１０】
図５に示すように、親綱１２の中間部を支持する支持具１０に親綱１２が挿通されるロープ挿通孔１９を形成する。
【００１１】
ロープ挿通孔１９の周壁一部にスロット２１を設ける。親綱１２に沿ってスライド自在に取付けられるフック連結具３０にフック係合孔３３、３４と、親綱１２が挿通される筒状のロープガイド３８とを設ける。
【００１２】
フック係合孔３３、３４に安全帯から延びるロープ５０の先端のフック５１を係合し、フック連結具３０をスロット２１に対して通過可能とし、かつロープガイド３８をロープ挿通孔１９に対して通過可能としてフック連結具３０にフック５１を係合させた状態で親綱１２の全長にわたって移動できるようにした。
【００１３】
支持具１０は、ロープ挿通孔１９に親綱１２を挿入して親綱１２の長さ方向中間部を支持する。
【００１４】
一方、フック連結具３０は、ロープガイド３８内に親綱２を挿通してスライド自在に取付け、そのフック連結具３０に設けられたフック係合孔３３、３４に安全帯から延びるロープ５０の先端のフック５１を係合して作業者の墜落を防止する。
【００１５】
親綱１２の中間部を支持する支持具１０のロープ挿通孔１９は、フック連結具３０のロープガイド３８が挿通可能とされ、そのロープ挿通孔１９の周壁一部に形成されたスロット２１にフック連結具３０が通過可能とされているため、安全帯のフック５１を掛け替えることなく作業位置を変更することができる。
【発明の開示】
【発明が解決しようとする課題】
【００１６】
前記非特許文献１にもあるように、親綱ケーブル１を設置する際、必要に応じて当該親綱ケーブル１の中間点に中間支持金物（ブラケット２）を設置する必要がある。このブラケット２には親綱ケーブル１を固定する部分があり、構造上ケーブルに被さるようになるため、その部分はケーブルの径より太くならざるを得ない。
【００１７】
安全帯を付けた作業員が親綱ケーブル１に沿って移動する際、作業員の方が専用安全器３より前方に進み、その結果、専用安全器３は斜め前方に傾きながら親綱ケーブル１に沿って移動するため、専用安全器３がブラケット２の部分を通過しようとする際に、傾いた専用安全器３がブラケット２の部分のケーブルが太くなった部分に引っ掛かり、スムーズに通過できなくなる事象が発生する。
【００１８】
その都度、作業員は後戻りして専用安全器３を手でブラケット２の部分を通過させる必要があり、作業性に問題が生じる。
【００１９】
特許文献１の場合も、同様に安全帯を付けた作業員が親綱１２に沿って移動する際、フック連結具３０より前方に進み、その結果、フック連結具３０は斜め前方に傾きながら親綱１２に沿って移動すると、親綱１２の中間部を支持する支持具１０のロープ挿通孔１９をフック連結具３０のロープガイド３８が挿通できなくなるおそれがある。
【００２０】
本発明の目的は前記従来例の不都合を解消し、親綱ケーブルに移動ユニットを走行させ、この移動ユニットに安全帯から伸びるロープを係合させる場合において、安全帯のロープが前方斜め方向に引っ張られた際にも移動ユニットが必要以上に傾くことを防止し、その結果、移動ユニットがブラケット部にも引っかかること無く容易に通過することが可能となる安全帯の移動用ケーブルを提供することにある。
【課題を解決するための手段】
【００２１】
前記目的を達成するため請求項１記載の本発明は、親綱ケーブルに移動ユニットを走行させ、この移動ユニットに安全帯から伸びるロープを係合させる場合において、親綱ケーブルとは別に、ガイド役のガイドケーブルを親綱ケーブルに対して間隔を存して並行に張り、安全帯から伸びるロープ端と親綱ケーブルの移動ユニットとの接合部にある環状部材に前記ガイド役のガイドケーブルを通すことを要旨とするものである。
【００２２】
請求項１記載の本発明によれば、ガイド役のガイドケーブルを設置することにより、安全帯のロープが前方斜め方向に引っ張られた際にも環状部材は親綱ケーブルとガイドケーブルとの両方に跨ることで必要以上に斜めにならず、その結果、移動ユニットが必要以上に傾くことを防止できる。これにより、移動ユニットはブラケット部にも引っかかること無く容易に通過することが可能となる。
【００２３】
請求項２記載の本発明は、安全帯から伸びるロープ端には、ショックアブソーバーを介して環状部材を設けることを要旨とするものである。
【００２４】
請求項２記載の本発明によれば、移動ユニットが必要以上に傾くことを防止するのは環状部材であり、これによりショックアブソーバー自身の機能を阻害することはないので、落下の際の衝撃緩和の機能は十分維持することができる。
【発明の効果】
【００２５】
以上述べたように本発明の安全帯の移動用ケーブルは、親綱ケーブルに移動ユニットを走行させ、この移動ユニットに安全帯から伸びるロープを係合させる場合において、安全帯のロープが前方斜め方向に引っ張られた際にも移動ユニットが必要以上に傾くことを防止し、その結果、移動ユニットがブラケット部にも引っかかること無く容易に通過することが可能となるものである。
【発明を実施するための最良の形態】
【００２６】
以下、図面について本発明の実施の形態を詳細に説明する。図１は、本発明の安全帯の移動用ケーブルの１実施形態を示す斜視図、図２は同上側面図、図３は説明図である。
【００２７】
本発明の安全帯の移動用ケーブルも前記従来例として図４で説明した水平親鋼システムと同じであり、直径１２ｍｍの専用ワイヤーケーブルを親綱ケーブル１として、端末部や中間部の取付ユニットであるブラケット２によって対象構造物の水平面に敷設し、この親綱ケーブル１上に専用安全器３を移動ユニットとして滑走させる。
【００２８】
本発明は、前記親綱ケーブル１とは別に、ガイド役のガイドケーブル７を親綱ケーブル１に対して間隔を存して並行に張設した。
【００２９】
親綱ケーブル１とガイドケーブル７との間隔は、専用安全器３の係合孔３ａに環状部材であるカラビナ４を引っ掛けた際に、このカラビナ４内にガイドケーブル７が収まるように設定する。
【００３０】
このようにして、安全帯８から伸びるロープ６端にはショックアブソーバー５が設けられているが、ショックアブソーバー５に取付けたカラビナ４を前記ガイド役のガイドケーブル７を通すようにする。
【００３１】
カラビナ４は専用安全器３の係合孔３ａに接合させて係止するもので、専用安全器３が親綱ケーブル１を走行する際に、安全帯８のロープ６が前方斜め方向に引っ張られた際にも、このカラビナ４が親綱ケーブル１とガイドケーブル７との両方に跨ることで必要以上に斜めにならず、その結果、専用安全器３が必要以上に傾くことを防止できる。
【００３２】
これにより、専用安全器３はブラケット２の部分にも引っかかること無く容易に通過することが可能となる。
【図面の簡単な説明】
【００３３】
【図１】本発明の安全帯の移動用ケーブルの1実施形態を示す斜視図である。
【図２】本発明の安全帯の移動用ケーブルの1実施形態を示す側面図である。
【図３】本発明の安全帯の移動用ケーブルの1実施形態を示す説明図である。
【図４】従来例を示す斜視図である。
【図５】他の従来例を示す斜視図である。
【符号の説明】
【００３４】
１  親綱ケーブル                      ２  ブラケット
３  専用安全器                        ３ａ  係合孔
４  カラビナ                          ５  ショックアブソーバー
６  ロープ                            ７  ガイドケーブル
８  安全帯
１０  支持具                          １２  親綱
１９  ロープ挿通孔                    ２１  スロット
３０  フック連結具                    ３３、３４  フック係合孔
３８  ロープガイド
５０  ロープ                          ５１  フック
【図１】
0005602083.tif 000002
【図２】
0005602083.tif 000003
【図３】
0005602083.tif 000004
【図４】
0005602083.tif 000005
【図５】
0005602083.tif 000006